(57)【特許請求の範囲】
【請求項１】
電子機器に使用され、複数の文字割り当てキーからなり、該キーを選択することにより、該キーに割り当てられた文字に対応する信号を該電子機器に入力可能となり、該電子機器に入力された信号に該当する文字が電子機器に表示可能となった入力装置において、
さらに複数のファンクションキーを有し、
前記文字割り当てキーは、電子機器に複数段を持つ格子状に配置されており、
文字割り当てキーには、少なくとも「あ」行、「か」行、「さ」行、「た」行、「な」行、「は」行、「ま」行、「や」行、「ら」行、「わ、を、ん」の各仮名が基本的に割り当てられ、
前記文字割り当てキーは、遠方一段目のキーに、左側から右側に向かって「あ，い，う，え，お」の仮名がそれぞれ割り当てられ、
遠方二段目のキーに、左側から右側に向かって「か，き，く，け，こ」の仮名がそれぞれ割り当てられ、
遠方三段目のキーに、左側から右側に向かって「さ，し，す，せ，そ」の仮名がそれぞれ割り当てられ、
遠方四段目のキーに、左側から右側に向かって「た，ち，つ，て，と」の仮名がそれぞれ割り当てられ、
遠方五段目のキーに、左側から右側に向かって「な，に，ぬ，ね，の」の仮名がそれぞれ割り当てられ、
遠方六段目のキーに、左側から右側に向かって「は，ひ，ふ，へ，ほ」の仮名がそれぞれ割り当てられ、
遠方七段目のキーに、左側から右側に向かって「ま，み，む，め，も」の仮名がそれぞれ割り当てられ、
遠方八段目のキーに、左側から右側に向かって「ら，り，る，れ，ろ」の仮名がそれぞれ割り当てられ、
前記仮名が割り当てられない端部領域に、「わ，を，ん」、「や，ゆ，よ」の仮名がそれぞれ割り当てられ、
前記複数のファンクションキーの中の第１のファンクションキーが選択されたときに、
「か」行の仮名が割り当てられた段に、「きゃ」，「きゅ」，「きょ」，「きゃく」，「きょく」，「きゅう」，「きょう」の仮名がそれぞれ割り当てられ、
「さ」行の仮名が割り当てられた段に、「しゃ」，「しゅ」，「しょ」，「しゃく」，「しょく」，「しゅう」，「しょう」の仮名がそれぞれ割り当てられ、
「た」行の仮名が割り当てられた段に、「ちゃ」，「ちゅ」，「ちょ」，「ちゃく」，「ちょく」，「ちゅう」，「ちょう」の仮名がそれぞれ割り当てられ、
「な」行の仮名が割り当てられた段に、「にゃ」，「にゅ」，「にょ」，「にゃく」，「にょく」，「にゅう」，「にょう」の仮名がそれぞれ割り当てられ、
「は」行の仮名が割り当てられた段に、「ひゃ」，「ひゅ」，「ひょ」，「ひゃく」，「ひょく」，「ひゅう」，「ひょう」の仮名がそれぞれ割り当てられ、
「ま」行の仮名が割り当てられた段に、「みゃ」，「みゅ」，「みょ」，「みゃく」，「みょく」，「みゅう」，「みょう」の仮名がそれぞれ割り当てられ、
「ら」行の仮名が割り当てられた段に、「りゃ」，「りゅ」，「りょ」，「りゃく」，「りょく」，「りゅう」，「りょう」の仮名がそれぞれ割り当てられる、ことを特徴とする仮名入力装置。
【請求項２】
前記複数のファンクションキーの中の濁音キーが選択されたときに、
「か」行の各仮名に割り当てられたキーに、「が，ぎ，ぐ，げ，ご」の仮名がそれぞれ割り当てられ、
「さ」行の各仮名に割り当てられたキーに、「ざ，じ，ず，ぜ，ぞ」の仮名がそれぞれ割り当てられ、
「た」行の各仮名に割り当てられたキーに、「だ，ぢ，づ，で，ど」の仮名がそれぞれ割り当てられ、
「は」行の各仮名に割り当てられたキーに、「ば，び，ぶ，べ，ぼ」の仮名がそれぞれ割り当てられ、
「は」行の各仮名に割り当てられたキーに隣接するキーに、「ぱ，ぴ，ぷ，ぺ，ぽ」の仮名がそれぞれ割り当てられる、ことを特徴とする請求項１記載の仮名入力装置。
【請求項３】
前記濁音キーと前記第１のファンクションキーとが同時に選択されたときに、各キーにファンクションキーが選択されたときに割り当てられていた第１番目の仮名が濁音となる仮名である場合に、そのキーに第１番目の仮名が濁音に置き換えられた仮名が割り当てられ、「は」行の各仮名の割り当てられた段に隣接する段のキーの左側から右側に向かって、「ぴゃ，ぴゅ，ぴょ，ぴゃく，ぴょく，ぴゅう，ぴょう」の仮名がそれぞれ割り当てられることを特徴とする請求項２記載の仮名入力装置。
【請求項４】
前記複数のファンクションキーの中の第２のファンクションキーが選択されたときに、各キーは、基本的に割り当てられた仮名○に対して「○い」の仮名が割り当てられ、
前記ファンクションキーの中の第３のファンクションキーが選択されたときに、各キーは、基本的に割り当てられた仮名○に対して「○う」の仮名が割り当てられ、
前記ファンクションキーの中の第４のファンクションキーが選択されたときに、各キーは、基本的に割り当てられた仮名○に対して「○き」の仮名が割り当てられ、
前記ファンクションキーの中の第５のファンクションキーが選択されたときに、各キーは、基本的に割り当てられた仮名○に対して「○く」の仮名が割り当てられ、
前記ファンクションキーの中の第６のファンクションキーが選択されたときに、各キーは、基本的に割り当てられた仮名○に対して「○つ」の仮名が割り当てられ、
前記ファンクションキーの中の第７のファンクションキーが選択されたときに、各キーは、基本的に割り当てられた仮名○に対して「○ん」の仮名が割り当てられる、ことを特徴とする請求項１ないし３のいずれか１項に記載の仮名入力装置。
【請求項５】
前記濁音キーが同時に選択されたときに、前記「○Ｘ」（Ｘ：い，う，き，く，つ，んのいずれかとする）に割り当てられていた各キーは、仮名○が濁音となる仮名である場合に、「○゛Ｘ」の仮名が割り当てられ、「は」行の各仮名に基本的に割り当てられたキーに隣接するキーに、「ぱＸ，ぴＸ，ぷＸ，ぺＸ，ぽＸ」の仮名がそれぞれ割り当てられる、ことを特徴とする請求項４記載の仮名入力装置。
【請求項６】
前記複数のファンクションキーの中の第８のファンクションキーが選択されたときに、
「あ」行の仮名が割り当てられた段に、「ウィ，ウェ，ウォ」の片仮名がそれぞれ割り当てられ、
「か」行の仮名が割り当てられた段に、「クァ，クィ，クェ，クォ」の片仮名がそれぞれ割り当てられ、
「さ」行の仮名が割り当てられた段に、「スィ，ティ，トォ」の片仮名がそれぞれ割り当てられ、
「た」行の仮名が割り当てられた段に、「ツァ，ツィ，テュ，ツェ，ツォ」の片仮名がそれぞれ割り当てられ、
「な」行の仮名が割り当てられた段に、「ニェ」の片仮名が割り当てられ、
「は」行の仮名が割り当てられた段に、「ファ，フィ，フュ，フェ，フォ」の片仮名がそれぞれ割り当てられる、ことを特徴とする請求項１ないし５のいずれか１項に記載の仮名入力装置。
【請求項７】
前記濁音キーと前記第８のファンクションキーとが同時に選択されたときに、
「あ」行の仮名が割り当てられた段に、「ヴ，ヴァ，ヴィ，ヴェ，ヴォ，ヴュ」の片仮名がそれぞれ割り当てられ、
「か」行の仮名が割り当てられた段に、「グァ，グィ，グェ，グォ，ヴォ」の片仮名がそれぞれ割り当てられ、
「さ」行の仮名が割り当てられた段に、「ズィ，ジュ」の片仮名がそれぞれ割り当てられ、
「た」行の仮名が割り当てられた段に、「ディ，デュ」の片仮名がそれぞれ割り当てられることを特徴とする請求項６記載の仮名入力装置。
【請求項８】
前記複数のファンクションキーの中の第９のファンクションキーが選択されたときに、
遠方一段目のキーの左側から右側に向かって、「Ａ，Ｂ，Ｃ，Ｄ，Ｅ，Ｆ，Ｇ」のアルファベットがそれぞれ割り当てられ、
遠方二段目のキーの左側から右側に向かって、「Ｈ，Ｉ，Ｊ，Ｋ，Ｌ，Ｍ，Ｎ」のアルファベットがそれぞれ割り当てられ、
遠方三段目のキーの左側から右側に向かって、「Ｏ，Ｐ，Ｑ，Ｒ，Ｓ，Ｔ，Ｕ」のアルファベットがそれぞれ割り当てられ、
遠方四段目のキーの左側から右側に向かって、「Ｖ，Ｗ，Ｘ，Ｙ，Ｚ」のアルファベットがそれぞれ割り当てられる、ことを特徴とする請求項１ないし７のいずれか１項に記載の仮名入力装置。
【請求項９】
前記第９のファンクションキーと同時に前記複数のファンクションキーの中の第１０のファンクションキーが選択されたときに、各キーに割り当てられていたアルファベットの小文字がそれぞれ割り当てられることを特徴とする請求項８記載の仮名入力装置。
【発明の詳細な説明】
【技術分野】
【０００１】
本発明は、コンピュータ、ワードプロセッサ、携帯電話、電子辞書、家電機器等の電子機器に使用される仮名入力装置に関する。
【背景技術】
【０００２】
従来、ＪＩＳ規格の仮名入力装置のキー配列がほとんどのコンピュータ、ワードプロセッサで採用されているが、その配列が覚えにくく、所謂「かな入力」をする場合、初心者、高齢者には使い勝手が悪いという問題がある。また、アルファベットを使って仮名を入力する、所謂「ローマ字入力」をする場合も、その配列が覚えにくく、且つ打鍵数が多くなるという問題がある。
【０００３】
かかる問題を解決するためのものとして、特許文献１では５０音入力装置用キーボードが提案されている。この５０音入力装置用キーボードでは、文字盤内のキー文字が仮名を五十音順に文字盤の中央から左右へ内側から外側に向けて展開すると共に、右手領域一段から順次右手領域四段へ、さらに左手領域一段から順次左手領域四段へと配置されている。より具体的には、図１９に示すように、右手領域一段目の２列目から外側に向けて「あ，い，う，え，お」と配列し、右手領域二段目の２列目から外側に向けて「か，き，く，け，こ」と配列し、右手領域三段面の２列目から外側に向けて「さ，し，す，せ，そ」と配列し、右手領域四段目の２列目から外側に向けて「た，ち，つ，て，と」と配列し、さらに、左手領域一段目の１列目から外側に向けて「な，に，ぬ，ね，の」と配列し、左手領域二段目の１列目から外側に向けて「は，ひ，ふ，へ，ほ」と配列し、左手領域三段目の１列目から外側に向けて、この場合に限って、キーの平仮名上段位置に「ま，み，む，め，も」と配列し、キーの平仮名下段位置に「や，ゆ，よ，わ，を」と配列し、左手領域四段目の１列目から外側に向けて「ら，り，る，れ，ろ」と配列している。
【０００４】
また、高使用頻度の単語シラブルを形成する２文字仮名または３文字仮名を、それらの最初の仮名文字のキーおよびその近傍位置のキーの仮名モード上段位置に配置している。具体的には、右手領域一段目の１列目上段に「きゃ」、７列目上段に「じゃ」、７列目下段に「じゅ」と配列し、右手領域二段目の１列目上段に「きゅ」、２列目上段に「きょ」、３列目上段に「きょう」、４列目上段に「ぎょう」、５列目上段に「きゅう」、６列目上段に「ぎゅう」、７列目下段に「じょ」と配列し、右手領域三段目の１列目上段に「しゃ」、２列目上段に「しゅ」、３列目上段に「しょう」、４列目上段に「じょう」、５列目上段に「しゅう」、６列目上段に「じゅう」、７列目下段に「ちょう」と配列し、右手領域四段目の１列目上段に「しょ」、２列目上段に「ちゃ」、６列目上段に「ちゅう」と配列し、さらに、左手領域一段目の２列目上段に「にゅう」、４列目上段に「にょう」、５列目上段に「のう」と配列し、左手領域二段目の２列目上段に「ひょう」、５列目上段に「ほう」と配列し、左手領域四段目の４列目上段に「りょう」、５列目上段に「りょく」と配列している。
【０００５】
以上のような配列にすることにより、覚えやすい配列とし、少ないキータッチによってタイプ速度の向上を図るようにしている。
【先行技術文献】
【特許文献】
【０００６】
【特許文献１】特許第３０９９２１０号公報（特許請求の範囲）
【発明の概要】
【発明が解決しようとする課題】
【０００７】
しかしながら、特許文献１に開示する配列では、覚えやすさ、使いやすさ、タイプ数の合理化・低減化という点では不十分であり、改善するべき点がある。特に五十音の配列に関して、人間工学的に適しているとはいえず、また、拗音に関しては、限られた単語シラブルしか対応することができないという問題がある。
【０００８】
本発明はかかる問題に鑑みなされたもので、覚えやすく、使いやすく、さらにはタイプ数を一層、合理化・低減化させてタイプ速度を高速化することができる仮名入力装置を提供することをその目的とする。
【課題を解決するための手段】
【０００９】
上記課題を解決するために、本発明は、電子機器に使用され、複数の文字割り当てキーからなり、該キーを選択することにより、該キーに割り当てられた文字に対応する信号を該電子機器に入力可能となり、該電子機器に入力された信号に該当する文字が電子機器に表示可能となった入力装置において、
さらに複数のファンクションキーを有し、
前記文字割り当てキーは、電子機器に複数段を持つ格子状に配置されており、
文字割り当てキーには、少なくとも「あ」行、「か」行、「さ」行、「た」行、「な」行、「は」行、「ま」行、「や」行、「ら」行、「わ、を、ん」の各仮名が基本的に割り当てられ、
前記文字割り当てキーは、遠方一段目のキーに、左側から右側に向かって「あ，い，う，え，お」の仮名がそれぞれ割り当てられ、
遠方二段目のキーに、左側から右側に向かって「か，き，く，け，こ」の仮名がそれぞれ割り当てられ、
遠方三段目のキーに、左側から右側に向かって「さ，し，す，せ，そ」の仮名がそれぞれ割り当てられ、
遠方四段目のキーに、左側から右側に向かって「た，ち，つ，て，と」の仮名がそれぞれ割り当てられ、
遠方五段目のキーに、左側から右側に向かって「な，に，ぬ，ね，の」の仮名がそれぞれ割り当てられ、
遠方六段目のキーに、左側から右側に向かって「は，ひ，ふ，へ，ほ」の仮名がそれぞれ割り当てられ、
遠方七段目のキーに、左側から右側に向かって「ま，み，む，め，も」の仮名がそれぞれ割り当てられ、
遠方八段目のキーに、左側から右側に向かって「ら，り，る，れ，ろ」の仮名がそれぞれ割り当てられ、
前記仮名が割り当てられない端部領域に、「わ，を，ん」、「や，ゆ，よ」の仮名がそれぞれ割り当てられ、
前記複数のファンクションキーの中の第１のファンクションキーが選択されたときに、
「か」行の仮名が割り当てられた段に、「きゃ」，「きゅ」，「きょ」，「きゃく」，「きょく」，「きゅう」，「きょう」の仮名がそれぞれ割り当てられ、
「さ」行の仮名が割り当てられた段に、「しゃ」，「しゅ」，「しょ」，「しゃく」，「しょく」，「しゅう」，「しょう」の仮名がそれぞれ割り当てられ、
「た」行の仮名が割り当てられた段に、「ちゃ」，「ちゅ」，「ちょ」，「ちゃく」，「ちょく」，「ちゅう」，「ちょう」の仮名がそれぞれ割り当てられ、
「な」行の仮名が割り当てられた段に、「にゃ」，「にゅ」，「にょ」，「にゃく」，「にょく」，「にゅう」，「にょう」の仮名がそれぞれ割り当てられ、
「は」行の仮名が割り当てられた段に、「ひゃ」，「ひゅ」，「ひょ」，「ひゃく」，「ひょく」，「ひゅう」，「ひょう」の仮名がそれぞれ割り当てられ、
「ま」行の仮名が割り当てられた段に、「みゃ」，「みゅ」，「みょ」，「みゃく」，「みょく」，「みゅう」，「みょう」の仮名がそれぞれ割り当てられ、
「ら」行の仮名が割り当てられた段に、「りゃ」，「りゅ」，「りょ」，「りゃく」，「りょく」，「りゅう」，「りょう」の仮名がそれぞれ割り当てられる、ことを特徴とする。
【００１０】
請求項２記載の発明は、請求項１記載のものにおいて、前記複数のファンクションキーの中の濁音キーが選択されたときに、
「か」行の各仮名に割り当てられたキーに、「が，ぎ，ぐ，げ，ご」の仮名がそれぞれ割り当てられ、
「さ」行の各仮名に割り当てられたキーに、「ざ，じ，ず，ぜ，ぞ」の仮名がそれぞれ割り当てられ、
「た」行の各仮名に割り当てられたキーに、「だ，ぢ，づ，で，ど」の仮名がそれぞれ割り当てられ、
「は」行の各仮名に割り当てられたキーに、「ば，び，ぶ，べ，ぼ」の仮名がそれぞれ割り当てられ、
「は」行の各仮名に割り当てられたキーに隣接するキーに、「ぱ，ぴ，ぷ，ぺ，ぽ」の仮名がそれぞれ割り当てられる、ことを特徴とする。
【００１１】
請求項３記載の発明は、請求項２記載のものにおいて、前記濁音キーと前記第１のファンクションキーとが同時に選択されたときに、各キーにファンクションキーが選択されたときに割り当てられていた第１番目の仮名が濁音となる仮名である場合に、そのキーに第１番目の仮名が濁音に置き換えられた仮名が割り当てられ、「は」行の各仮名の割り当てられた段に隣接する段のキーの左側から右側に向かって、「ぴゃ，ぴゅ，ぴょ，ぴゃく，ぴょく，ぴゅう，ぴょう」の仮名がそれぞれ割り当てられることを特徴とする。
【００１２】
請求項４記載の発明は、請求項１ないし３のいずれか１項に記載のものにおいて、前記複数のファンクションキーの中の第２のファンクションキーが選択されたときに、各キーは、基本的に割り当てられた仮名○に対して「○い」の仮名が割り当てられ、
前記ファンクションキーの中の第３のファンクションキーが選択されたときに、各キーは、基本的に割り当てられた仮名○に対して「○う」の仮名が割り当てられ、
前記ファンクションキーの中の第４のファンクションキーが選択されたときに、各キーは、基本的に割り当てられた仮名○に対して「○き」の仮名が割り当てられ、
前記ファンクションキーの中の第５のファンクションキーが選択されたときに、各キーは、基本的に割り当てられた仮名○に対して「○く」の仮名が割り当てられ、
前記ファンクションキーの中の第６のファンクションキーが選択されたときに、各キーは、基本的に割り当てられた仮名○に対して「○つ」の仮名が割り当てられ、
前記ファンクションキーの中の第７のファンクションキーが選択されたときに、各キーは、基本的に割り当てられた仮名○に対して「○ん」の仮名が割り当てられる、ことを特徴とする。
【００１３】
請求項５記載の発明は、請求項４記載のものにおいて、前記濁音キーが同時に選択されたときに、前記「○Ｘ」（Ｘ：い，う，き，く，つ，んのいずれかとする）に割り当てられていた各キーは、仮名○が濁音となる仮名である場合に、「○゛Ｘ」の仮名が割り当てられ、「は」行の各仮名に基本的に割り当てられたキーに隣接するキーに、「ぱＸ，ぴＸ，ぷＸ，ぺＸ，ぽＸ」の仮名がそれぞれ割り当てられる、ことを特徴とする。
【００１４】
請求項６記載の発明は、請求項１ないし５のいずれか１項に記載のものにおいて、前記複数のファンクションキーの中の第８のファンクションキーが選択されたときに、
「あ」行の仮名が割り当てられた段に、「ウィ，ウェ，ウォ」の片仮名がそれぞれ割り当てられ、
「か」行の仮名が割り当てられた段に、「クァ，クィ，クェ，クォ」の片仮名がそれぞれ割り当てられ、
「さ」行の仮名が割り当てられた段に、「スィ，ティ，トォ」の片仮名がそれぞれ割り当てられ、
「た」行の仮名が割り当てられた段に、「ツァ，ツィ，テュ，ツェ，ツォ」の片仮名がそれぞれ割り当てられ、
「な」行の仮名が割り当てられた段に、「ニェ」の片仮名が割り当てられ、
「は」行の仮名が割り当てられた段に、「ファ，フィ，フュ，フェ，フォ」の片仮名がそれぞれ割り当てられる、ことを特徴とする。
【００１５】
請求項７記載の発明は、請求項６記載のものにおいて、前記濁音キーと前記第８のファンクションキーとが同時に選択されたときに、
「あ」行の仮名が割り当てられた段に、「ヴ，ヴァ，ヴィ，ヴェ，ヴォ，ヴュ」の片仮名がそれぞれ割り当てられ、
「か」行の仮名が割り当てられた段に、「グァ，グィ，グェ，グォ，ヴォ」の片仮名がそれぞれ割り当てられ、
「さ」行の仮名が割り当てられた段に、「ズィ，ジュ」の片仮名がそれぞれ割り当てられ、
「た」行の仮名が割り当てられた段に、「ディ，デュ」の片仮名がそれぞれ割り当てられることを特徴とする。
【００１６】
請求項８記載の発明は、請求項１ないし７のいずれか１項に記載のものにおいて、前記複数のファンクションキーの中の第９のファンクションキーが選択されたときに、
遠方一段目のキーの左側から右側に向かって、「Ａ，Ｂ，Ｃ，Ｄ，Ｅ，Ｆ，Ｇ」のアルファベットがそれぞれ割り当てられ、
遠方二段目のキーの左側から右側に向かって、「Ｈ，Ｉ，Ｊ，Ｋ，Ｌ，Ｍ，Ｎ」のアルファベットがそれぞれ割り当てられ、
遠方三段目のキーの左側から右側に向かって、「Ｏ，Ｐ，Ｑ，Ｒ，Ｓ，Ｔ，Ｕ」のアルファベットがそれぞれ割り当てられ、
遠方四段目のキーの左側から右側に向かって、「Ｖ，Ｗ，Ｘ，Ｙ，Ｚ」のアルファベットがそれぞれ割り当てられる、ことを特徴とする。
【００１７】
請求項９記載の発明は、請求項８記載のものにおいて、前記第９のファンクションキーと同時に前記複数のファンクションキーの中の第１０のファンクションキーが選択されたときに、各キーに割り当てられていたアルファベットの小文字がそれぞれ割り当てられることを特徴とする。
【発明の効果】
【００１８】
本発明によれば、格子状に各文字を配置することにより、文字を探す手間が省け、容易に文字入力を行うことができる。
【００１９】
文字割り当てキーの配列が遠方から手前に向かってほぼ５０音順に並ぶため、文字を容易に探すことができ、入力の容易化・高速化を図ることができる。
【００２０】
「きゃく」、「きょく」などの入力に手間がかかり、間違いやすい一方で頻度の高い仮名列を一つのキーに割り当てることで、キー選択数を低減し、入力の容易化・高速化を図ることができる。
【００２１】
請求項２記載の発明によれば、濁音の仮名の入力を簡単に行うことができる。
【００２２】
請求項３記載の発明によれば、第１のファンクションキーを選択したことによって割り当てられた仮名列を半濁音のついた仮名列に容易に変更することができる。
【００２３】
請求項４記載の発明によれば、日本語の音読みの語尾の大半を占める「ん，い，う，き，く，つ」が語尾となった組み合わせの仮名を一つのキーに割り当てることで、キー選択数を合理化・低減化し、入力の容易化・高速化を図ることができる。
【００２４】
請求項５記載の発明によれば、濁音・半濁音の仮名列を文字割り当てキーに容易に割り当てることができる。
【００２５】
請求項６記載の発明によれば、使用頻度の高い片仮名列を一つのキーに割り当てることができるため、入力の容易化・高速化を図ることができる。
【００２６】
請求項７記載の発明によれば、濁音を有する片仮名列に容易に変換することができる。
【００２７】
請求項８記載の発明によれば、一つのファンクションキーを選択するだけで、文字割り当てキーに大文字のアルファベットの文字を容易に割り当てることができる。
【００２８】
請求項９記載の発明によれば、アルファベットの文字を大文字から小文字に容易に変更することができる。
【図面の簡単な説明】
【００２９】
【図１】本発明の実施形態の文字割り当てキーを示す平面図である。
【図２Ａ】本発明の実施形態による電子機器の一例の左側面のキー配列を示す平面図である。
【図２Ｂ】本発明の実施形態による電子機器の一例の右側面のキー配列を示す平面図である。
【図３】本発明の実施形態による文字割り当てキーのキー配列を示す平面図であり、「濁音」キーを選択したときの基本＋濁音を表す。
【図４】本発明の実施形態による文字割り当てキーのキー配列を示す平面図であり、「シフト」キーを選択したときの文字列を表す。
【図５】本発明の実施形態による文字割り当てキーのキー配列を示す平面図であり、「シフト」キー＋「濁音」キーを選択したときの文字列を表す。
【図６】本発明の実施形態による文字割り当てキーのキー配列を示す平面図であり、「い面」キーを選択したときの文字列を表す。
【図７】本発明の実施形態による文字割り当てキーのキー配列を示す平面図であり、「う面」キーを選択したときの文字列を表す。
【図８】本発明の実施形態による文字割り当てキーのキー配列を示す平面図であり、「き面」キーを選択したときの文字列を表す。
【図９】本発明の実施形態による文字割り当てキーのキー配列を示す平面図であり、「く面」キーを選択したときの文字列を表す。
【図１０】本発明の実施形態による文字割り当てキーのキー配列を示す平面図であり、「つ面」キーを選択したときの文字列を表す。
【図１１】本発明の実施形態による文字割り当てキーのキー配列を示す平面図であり、「ん面」キーを選択したときの文字列を表す。
【図１２】本発明の実施形態による文字割り当てキーのキー配列を示す平面図であり、「ギ音面」キーを選択したときの文字列を表す。
【図１３】本発明の実施形態による文字割り当てキーのキー配列を示す平面図であり、「ギ音面」キー＋「濁音」キーを選択したときの文字列を表す。
【図１４】本発明の実施形態による文字割り当てキーのキー配列を示す平面図であり、「Ａ面」キーを選択したときの文字列を表す。
【図１５】本発明の実施形態による文字割り当てキーのキー配列を示す平面図であり、「Ａ面」キー＋「濁音」キーを選択したときの文字列を表す。
【図１６】本発明の実施形態による電子機器の左側面に配設される各キーの一形態を示す図である。
【図１７】本発明の入力装置と電子機器との関係を表すブロック図である。
【図１８】本発明の実施の形態による入力装置と電子機器との関係を表すブロック図である。
【図１９】従来の仮名入力装置のキー配列を示す平面図である。
【発明を実施するための形態】
【００３０】
以下、図面を用いて本発明の実施の形態を説明する。
図１７は、本発明の実施の形態による仮名入力装置１を含む電子機器２のブロック図である。電子機器としては、モバイルパソコン、携帯電話、電子辞書、家電機器等の任意の機器とすることができ、仮名入力装置１は、複数の打鍵可能なキーが配列されたキーボードやまたは複数の接触可能なキーが配列されたタッチパネルからなる入力手段４を備えている。以下、キーの打鍵または接触を「選択」と称し、一回または継続的な打鍵または接触のどちらでもよいものとする。
【００３１】
仮名入力装置１は入力キー処理手段５を備えており、該入力キー処理手段５は、前記キーが選択されることにより、そのキーに割り当てられた文字に対応する信号を電子機器２に備えられる日本語入力システム６に出力する。仮名入力装置１からは、仮名及び英数記号の文字に対応する信号が出力される。日本語入力システム６に入力された信号に対応する文字は、表示手段９に表示されると共に、図示しない「変換」キーの入力によって、仮名漢字変換手段７が漢字候補データベース８からの候補漢字に変換して、表示手段９にその候補漢字を表示する。日本語入力システム６は汎用のシステムとすることができる。
【００３２】
この本発明の仮名入力装置１の入力手段４のキーは、図１に示すように、電子機器の正面に表示される基本面の文字割り当てキー１０の配列を示しており、この基本面は、初期値とすることが望ましい。文字割り当てキー１０は、タッチパネル上で縦が８コマ、横が７コマの格子状に配置され、左端部１列の左領域１０Ｌと、左から２列目から右側に向かって５列の中央領域１０Ｃと、右端部１列の右領域１０Ｒとで構成される。
【００３３】
中央領域１０Ｃには、遠方一段目のキーに、左から右に向かって「あ，い，う，え，お」の仮名がそれぞれ割り当てられ、遠方二段目のキーに、左から右に向かって「か，き，く，け，こ」の仮名がそれぞれ割り当てられ、遠方三段目のキーに、左から右に向かって「さ，し，す，せ，そ」の仮名がそれぞれ割り当てられ、遠方四段目のキーに、左から右に向かって「た，ち，つ，て，と」の仮名がそれぞれ割り当てられ、遠方五段目のキーに、左から右に向かって「な，に，ぬ，ね，の」の仮名がそれぞれ割り当てられ、遠方六段目のキーに、左から右に向かって「は，ひ，ふ，へ，ほ」の仮名がそれぞれ割り当てられ、遠方七段目のキーに、左から右に向かって「ま，み，む，め，も」の仮名がそれぞれ割り当てられ、遠方八段目のキーに、左から右に向かって「ら，り，る，れ，ろ」の仮名がそれぞれ割り当てられる。
【００３４】
右領域１０Ｒには、遠方から手前に向かって「わ，を，ん，、，。，や，ゆ，よ」の仮名、読点及び句点がそれぞれ割り当てられ、左領域１０Ｌには、「（，），−，・，「，」」の記号がそれぞれ割り当てられる。人間工学的に中央に５０音の主な文字が配置され、その文字配列の両側部に残りの文字や記号、句読点が配置されているほうが使用し易いからである。
【００３５】
入力手段は、図１に示す複数の文字割り当てキー１０と複数のファンクションキー１２とからなり、ファンクションキー１２は、これら全てを文字割り当てキー１０と同じ面に設けてもよく、または、図１、図２Ａ及び図２Ｂに示すように、文字割り当てキー１０の上部及び電子機器２の両側面１２ｂ及び１２ｃに分けて配設してもよい。電子機器２は携帯電話のように片手で保持することが可能な大きさとしたり、モバイルパソコンのように両手で保持する大きさとしたりすることもできる。従って、片手で電子機器２を保持し、その保持している手の指で前記各キー１０及び１２を操作するようにすることもでき、または、電子機器２を両手で保持したり、卓上に置いたりして両手の指で前記各キー１０及び１２を操作するようにすることもできる。
【００３６】
図２Ａに電子機器２の左側面２ｂの一例を示す。
電子機器２の左側面２ｂは、ファンクションキーとして左端に、上下方向にそれぞれ所定間隔をあけて上から下に向かって「い面」キー１２Ｄ、「き面」キー１２Ｆ、「ギ音面」キー１２Ｍ、「シフト面」キー１２Ａ、「ん面」キー１２Ｃが１列に配設され、中央に、上下方向にそれぞれ所定間隔をあけて上から下に向かって「う面」キー１２Ｅ、「く面」キー１２Ｇ、「記号」キー１２Ｎ、「つ面」キー１２Ｈが前記左端の各キーの間の空間に位置するようにそれぞれ配設される。右端には「濁音」キー１２Ｌが、前記「い面」キー１２Ｄと重なる位置から「ん面」キー１２Ｃと重なる位置まで上下方向に伸びて配設され、「い面」キー１２Ｄよりも上方に「設定１」及び「設定２」キー１２Ｍがそれぞれ横方向に並んで配設される。
この構成により、「濁音」キー１２Ｌとこれの左側に配設される他のファンクションキーとを電子機器２を保持している使用者の手の指１本で同時に選択することが可能である。
【００３７】
前記「設定１」及び「設定２」キー１２Ｍは、図１の基本面に対してファンクションキー１２の一つであり、「設定１」キー１２Ｍを選択すると、図１８に示す登録手段１４が起動し、表示手段９に登録画面が表示される。次に、情報を登録させたい文字割り当てキー１０を１つ選択し、その後、任意の情報を入力する。最後に、登録画面に表示されている「登録」を選択することにより、登録手段１４が、前記選択した文字割り当てキー１０に情報を割り当てて割り当て情報データベース２２に記録する。前記作業を繰り返すことにより、登録手段１４が各キーにそれぞれ情報を割り当てて割り当て情報データベース２２に記録することができる。「設定２」キー１２Ｍを選択した場合も、「設定１」キー１２Ｍと同様の方法で各ファンクションキー１２にそれぞれ情報を割り当てて割り当て情報データベース２２に記録することができる。情報としては、プロ野球チームの成績や、相撲の番付表など、使用者が記録させておきたい任意の情報とすることができる。
【００３８】
各文字割り当てキー１０に登録させた情報を見るときは、「設定１」又は「設定２」キー１２Ｍを選択し、所望の文字割り当てキー１０を選択するだけで、登録させた情報が表示手段９に表示される。
【００３９】
「記号」キー１２Ｎは、基本面の文字割り当てキー１０で表示されていない記号を表示する。
【００４０】
図２Ｂに電子機器２の右側面２ｃを示す。
電子機器２の右側面２ｃの下部に、ファンクションキーとして「Ａ面」キー１２Ｉと「あ面」キー１２Ｏが上下方向に配設されており、「Ａ面」キー１２Ｉは、第１の実施の形態の英数キー１２Ｉと同じ作用を有する。また、「あ面」キー１２Ｏは、これを選択すると、文字割り当てキー１０に図１に示す基本面が割り当てられる。
【００４１】
電子機器２の左側面２ｂに配設される各キーは、図１６に示すように、タブ式とすることができる。また、左側面２ｂと同様に、右側面２ｃに配設される各キーもタブ式とすることができる。
【００４２】
（１）基本面＋濁音
図１に示す基本面に対して「濁音」キー１２Ｌを選択すると、図３に示すように、「あ」行の各仮名に割り当てられたキーに、「ぁ、ぃ、ぅ、ぇ、ぉ」の仮名がそれぞれ割り当てられ、「か」行の各仮名に割り当てられたキーに、「が，ぎ，ぐ，げ，ご」の仮名がそれぞれ割り当てられ、「さ」行の各仮名に割り当てられたキーに、「ざ，じ，ず，ぜ，ぞ」の仮名がそれぞれ割り当てられ、「た」行の各仮名に割り当てられたキーに、「だ，ぢ，づ，で，ど」の仮名がそれぞれ割り当てられ、「は」行の各仮名に割り当てられたキーに、「ば，び，ぶ，べ，ぼ」の仮名がそれぞれ割り当てられ、「は」行の各仮名に割り当てられたキーに隣接する「ま」行の各仮名に、「ぱ，ぴ，ぷ，ぺ，ぽ」の仮名がそれぞれ割り当てられ、「わ」に「っ」の仮名が割り当てられ、「や」行の各仮名にそれぞれの文字の小文字が割り当てられる。
【００４３】
（２）シフト
「シフト」キー１２Ａを選択すると、図４に示すように、「あ」行の仮名が割り当てられた遠方一段目のキーの左端部から右に向かって、「しゃん，しゅん，しょん，しゅく，しゅつ」の仮名がそれぞれ割り当てられ、「か」行の仮名が割り当てられた遠方二段目のキーの左端部から右に向かって、「きゃ，きゅ，きょ，きゃく，きょく，きゅう，きょう」の仮名がそれぞれ割り当てられ、「さ」行の仮名が割り当てられた遠方三段目のキーの左端部から右に向かって、「しゃ，しゅ，しょ，しゃく，しょく，しゅう，しょう」の仮名がそれぞれ割り当てられ、「た」行の仮名が割り当てられた遠方四段目のキーの左端部から右に向かって、「ちゃ，ちゅ，ちょ，ちゃく，ちょく，ちゅう，ちょう」の仮名がそれぞれ割り当てられ、「な」行の仮名が割り当てられた遠方五段目のキーの左端部から右に向かって、「にゃ，にゅ，にょ，にゃく，にょく，にゅう，にょう」の仮名がそれぞれ割り当てられ、「は」行の仮名が割り当てられた遠方六段目のキーの左端部から右に向かって、「ひゃ，ひゅ，ひょ，ひゃく，ひょく，ひゅう，ひょう」の仮名がそれぞれ割り当てられ、「ま」行の仮名が割り当てられた遠方七段目のキーの左端部から右に向かって、「みゃ，みゅ，みょ，みゃく，みょく，みゅう，みょう」の仮名がそれぞれ割り当てられ、「ら」行の仮名が割り当てられた最も手前の段の左端部から右に向かって、「りゃ，りゅ，りょ，りゃく，りょく，りゅう，りょう」の仮名がそれぞれ割り当てられる。
【００４４】
（３）シフト＋濁音
「シフト」キー１２Ａと「濁音」キー１２Ｌとを選択すると、図５に示すように、図４に示す「シフト」キー１２Ａが選択されたときに割り当てられていた第１番目の仮名が濁音となる仮名である場合に、そのキーに第１番目の仮名が濁音に置き換えられた仮名が割り当てられ、遠方七段目のキーの左端部から右に向かって、「ぴゃ，ぴゅ，ぴょ，ぴゃく，ぴょく，ぴゅう，ぴょう」の仮名がそれぞれ割り当てられる。
【００４５】
（４）い面、き面、う面、く面、つ面、ん面
「ん面」キー１２Ｃ、「い面」キー１２Ｄ、「う面」キー１２Ｅ、「き面」キー１２Ｆ、「く面」キー１２Ｇ及び「つ面」キー１２Ｈは、これらを選択すると、基本面に基本的に割り当てられた仮名○に対して、図６に示すように「○い」の仮名が、図７に示すように「○う」の仮名が、図８に示すように「○き」の仮名が、図９に示すように「○く」の仮名が、図１０に示すように「○つ」の仮名が、図１１に示すように「○ん」の仮名がそれぞれ割り当てられる。
【００４６】
すなわち、「ん面」キー１２Ｃを選択すると、「○ん」の仮名が割り当てられるが、この「○ん」は使用頻度が高く、「千、万、円、件、点、巻、本」等の数詞、単位があり、この「ん」面の中で対応する漢字がないのは「ぬん」、「るん」のみである。さらには「○ん○ん」の仮名列の例としては、「簡単（かんたん）」、「新鮮（しんせん）」、「感染（かんせん）」、「幹線（かんせん）」、「安心（あんしん）」等がある。これらの単語はこの「ん」面の２つのキーの選択で入力が完了するので、入力の合理化、低減化及び高速化を図ることができる。
【００４７】
「い面」キー１２Ｄを選択すると、「○い」の仮名が割り当てられるが、「○い○い」の仮名列の例としては、「経営（けいえい）」、「明細（めいさい）」、「訂正（ていせい）」、「平成（へいせい）」、「形成（けいせい）」等があり、これらの単語はこの「い」面の２つのキーの選択で入力が完了するので、入力の合化、低減化及び高速化を図ることができる。
【００４８】
「う面」キー１２Ｅを選択すると、「○う」の仮名が割り当てられるが、例外的に基本的に割り当てられた仮名「れ」に対しては、使用頻度の観点から「ぜろ」としてもよい。このような例外は適宜設定可能である。
【００４９】
また、「○う○う」の仮名列の例としては、「高校（こうこう）」、「走行（そうこう）」、「通行（つうこう）」、「空港（くうこう）」、「有用（ゆうよう）」等がある。これらの単語はこの「う」面の２つのキーの選択で入力が完了するので、入力の合理化、低減化及び高速化を図ることができる。
【００５０】
「き面」キー１２Ｆを選択すると、「○き」の仮名が割り当てられるが、例外的に基本的に割り当てられた仮名「け」に対しては、使用頻度の観点から「げき」とする。このような例外は適宜設定可能である。
【００５１】
「く面」キー１２Ｇを選択すると、「○く」の仮名が割り当てられるが、この「○く」の場合、次の仮名列との組み合わせによっては、「く」が促音「っ」になる場合がある。例えば、「国会」、「黒海」、「各国」、「陸橋」、「即興」、「即刻」、「白骨」、「約款」、「速乾」、「活発」等多数がある。よって、「○く□×」の入力に対して、日本語入力システム６の仮名漢字変換手段７は、「○く□×」と「○っ□×」の２通りの漢字候補を求めるようにするとよい。
【００５２】
「○く○く」の仮名列の例としては、「目測（もくそく）」、「確約（かくやく）」、「憶測（おくそく）」、「督促（とくそく）」、「北陸（ほくりく）」等がある。これらの単語はこの「く」面の２つのキーの選択で入力が完了するので、入力の合理化、低減化及び高速化を図ることができる。
【００５３】
「つ面」キー１２Ｈを選択すると、「○つ」の仮名が割り当てられるが、例外的に基本的に割り当てられた仮名「ほ」に対しては、使用頻度の観点から「ぼつ」とする。このような例外は適宜設定可能である。
【００５４】
「く」面と同様に、「○つ」の場合、次の仮名列との組み合わせによっては、「つ」が促音「っ」になる場合がある。例えば、「結婚（けっこん）」、「突風（とっぷう）」、「達成（たっせい）」、「徹底（てってい）」、「発表（はっぴょう）」、「鉄橋（てっきょう）」、「立教（りっきょう）」、「列強（れっきょう）」、「圧巻（あっかん）」、「鉄管（てっかん）」、「結晶（けっしょう）」等多数がある。よって、「○つ□×」の入力に対して、日本語入力システム６の仮名漢字変換手段７は、「○つ□×」と「○っ□×」の２通りの漢字候補を求めるようにするとよい。
【００５５】
以上の「○ん」、「○い」、「○う」、「○き」、「○く」、「○つ」で日本語の音読みは大半がカバーできる。例えば、これらの組み合わせの単語の例として、「○ん○う」、「○う○ん」の仮名列の単語例としては、「進行（しんこう）」、「銀行（ぎんこう）」、「健康（けんこう）」、「後半（こうはん）」、「鋼板（ごうはん）」、「通販（つうはん）」等、多数あり、「○い○う」、「○う○い」の仮名列の単語例としては、「傾向（けいこう）」、「最高（さいこう）」、「内装（ないそう）」、「配送（はいそう）」、「総計（そうけい）」、「交代（こうたい）」、「統計（とうけい）」等、多数ある。これらの組み合わせは、２つの面を切り換えてそれぞれ１つのキーを選択することで入力が完成するので、入力の合理化、低減化及び高速化を図ることができる。
【００５６】
２文字の仮名列としては、以上の他に「○ち」があり、よって、「ち面」をさらに多層構造の一つの面とすることも可能である。但し、「○ち」を使用する単語は、「価値（かち）」、「位置（いち）」、「拉致（らち）」、「措置（そち）」、「基地（きち）」、「土地（とち）」、「既知（きち）」といったように２文字の単語が多く、選択文字数の合理化効果は比較的少ないので、「ち面」は省略することも可能である。この実施形態では、「つ」面の中央領域１０Ｃに「いち」、「しち」、「はち」、「ひち」を割り当てている。これによって、数称については、「零（ぜろ）」、「一（いち）」、・・・「十（じゅう）」、「百（ひゃく）」、「千（せん）」、「万（まん）」、「億（おく）」、「兆（ちょう）」が全て合理化される。
【００５７】
（５）い面、き面、う面、く面、つ面、ん面＋濁音
「い面」キー１２Ｄ、「き面」キー１２Ｆ、「う面」キー１２Ｅ、「く面」キー１２Ｇ、「つ面」キー１２Ｈ及び「ん面」キー１２Ｃのうちのどれかと同時に「濁音」キー１２Ｌが選択されたときは、「○Ｘ」（Ｘ：い，う，き，く，つ、んのいずれかとする）に割り当てられていた各キーは、仮名○が濁音となる仮名である場合に、「○゛Ｘ」の仮名が割り当てられ、「は」行の各仮名に基本的に割り当てられたキーに隣接するキーに、「ぱＸ，ぴＸ，ぷＸ，ぺＸ，ぽＸ」の仮名がそれぞれ割り当てられる。
【００５８】
（６）ギ音面
「ギ音面」キー１２Ｍを選択すると、図１２に示すように、「あ」行の仮名が割り当てられた遠方一段目のキーの左から右に向かって、「ウィ，ウェ，ウォ，イェ」の片仮名がそれぞれ割り当てられ、「か」行の仮名が割り当てられた遠方二段目のキーの左から右に向かって、「クァ，クィ，クェ，クォ，キェ」の片仮名がそれぞれ割り当てられ、「さ」行の仮名が割り当てられた遠方三段目のキーの左から右に向かって、「スィ，ティ，トォ，シェ」の片仮名がそれぞれ割り当てられ、「た」行の仮名が割り当てられた遠方四段目のキーの左から右に向かって、「ツァ，ツィ，テュ，ツェ，ツォ，チェ」の片仮名がそれぞれ割り当てられ、「な」行の仮名が割り当てられた遠方五段目のキーの右端部に、「ニェ」の片仮名が割り当てられ、「は」行の仮名が割り当てられた遠方六段目のキーの左から右に向かって、「ファ，フィ，フュ，フェ，フォ，ヒェ」の片仮名がそれぞれ割り当てられ、「ま」行の仮名が割り当てられた遠方七段目のキーの中央に、「フョ」の片仮名が割り当てられる。
【００５９】
（７）ギ音面＋濁音
「ギ音面」キー１２Ｍと同時に「濁音」キー１２Ｌを選択すると、図１３に示すように、「あ」行の仮名が割り当てられた遠方一段目のキーの左から右に向かって、「ヴ，ヴァ，ヴィ，ヴェ，ヴォ，ヴュ」の片仮名がそれぞれ割り当てられ、「か」行の仮名が割り当てられた遠方二段目のキーの左から右に向かって、「グァ，グィ，グェ，グォ，ヴォ」の片仮名がそれぞれ割り当てられ、「さ」行の仮名が割り当てられた遠方三段目のキーの左から右に向かって、「ズィ，ジュ」の片仮名がそれぞれ割り当てられ、「た」行の仮名が割り当てられた遠方四段目のキーの左から右に向かって、「ディ，デュ」の片仮名がそれぞれ割り当てられる。
【００６０】
（８）Ａ面
電子機器２の右側面２ｃの「Ａ面」キー１２Ｉが選択されると、図１４に示すように、遠方一段目のキーの左端部から右に向かって、「Ａ，Ｂ，Ｃ，Ｄ，Ｅ，Ｆ，Ｇ」のアルファベットの大文字がそれぞれ割り当てられ、遠方二段目のキーの左端部から右に向かって、「Ｈ，Ｉ，Ｊ，Ｋ，Ｌ，Ｍ，Ｎ」のアルファベットの大文字がそれぞれ割り当てられ、遠方三段目のキーの左端部から右に向かって、「Ｏ，Ｐ，Ｑ，Ｒ，Ｓ，Ｔ，Ｕ」のアルファベットの大文字がそれぞれ割り当てられ、遠方四段目のキーの左端部から右に向かって、「Ｖ，Ｗ，Ｘ，Ｙ，Ｚ」のアルファベットの大文字がそれぞれ割り当てられる。
【００６１】
（９）Ａ面＋濁音
「Ａ面」キー１２Ｉと同時に「シフト」キー１２Ａが選択されると、図１５に示すように、「Ａ面」キー１２Ｉが選択されたときに各キーに割り当てられていたアルファベットの小文字がそれぞれ割り当てられる。
【００６２】
「Ａ面」キー１２Ｉが２回連続して選択されると、数字画面が表示される。
【符号の説明】
【００６３】
１  仮名入力装置
２  電子機器
１０  文字割り当てキー
１２  ファンクションキー
【図１】
0005015346.tif 000002
【図２Ａ】
0005015346.tif 000003
【図２Ｂ】
0005015346.tif 000004
【図３】
0005015346.tif 000005
【図４】
0005015346.tif 000006
【図５】
0005015346.tif 000007
【図６】
0005015346.tif 000008
【図７】
0005015346.tif 000009
【図８】
0005015346.tif 000010
【図９】
0005015346.tif 000011
【図１０】
0005015346.tif 000012
【図１１】
0005015346.tif 000013
【図１２】
0005015346.tif 000014
【図１３】
0005015346.tif 000015
【図１４】
0005015346.tif 000016
【図１５】
0005015346.tif 000017
【図１６】
0005015346.tif 000018
【図１７】
0005015346.tif 000019
【図１８】
0005015346.tif 000020
【図１９】
0005015346.tif 000021